(57)【要約】【課題】誘引紐を誘引線に取り付ける際に、長時間両手を挙げて作業をする必要がなく、簡単に片手で取り付けることができ、また確実に誘引紐が外れないように取り付けることができ、さらに、収穫後に、誘引紐が硬化していても誘引紐を簡単に撤収することができ、錆が生じることのない誘引紐吊り具を提供する。【解決手段】弾性を有する耐候性のある合成樹脂で一体形成され、縦軸部２の上部がフック状の誘引線吊り下げ部３であり、縦軸部２の下部が誘引紐取付部５である誘引紐吊り具。誘引紐取付部５は、横巻付部を構成するＶ字状の第１横紐掛け部６および第２横紐掛け部７と、縦巻付部を構成するＶ字状の第１縦紐掛け部８および第２縦紐掛け部９とを有している。また、縦軸部２下部には、巻き付けられる誘引紐２０の下部をほぼ横方向から通す紐跳ね上がり防止穴１０とリブ状の誘引紐止め部１１が形成されている。【選択図】図９
2007295843.tif 000002
【特許請求の範囲】
【請求項１】
弾性を有する耐候性のある合成樹脂で一体形成され、縦軸部の上部がフック状の誘引線吊り下げ部であり、前記縦軸部の下部が誘引紐取付部である誘引紐吊り具において、
前記誘引紐取付部は、誘引紐の横巻付部と縦巻付部がそれぞれＶ字状に凹ませて形成されており、かつ前記横巻付部を構成する左右のＶ字状の凹部を結ぶ線に対し、前記縦巻付部を構成する上下のＶ字状の凹部の位置が同じ側に設けられ、
前記誘引紐取付部に、巻き付けられた誘引紐の下部をほぼ横方向から通す誘引紐止め部が形成されていることを特徴とする誘引紐吊り具。
【請求項２】
前記フック状の誘引線吊り下げ部の誘引線挿入口は、誘引線の径よりも狭く形成されていることを特徴とする請求項１記載の誘引紐吊り具。
【請求項３】
任意の箇所に、高所の誘引線に前記フック状の誘引線吊り下げ部を引っ掛けるための操作棒の先端が係合する係合部が形成されていることを特徴とする請求項１または２に記載の誘引紐吊り具。
【請求項４】
ヘアピン状の本体の上部に、一方には鋭角に折曲したフック部が、他方には前記フック部の角部よりも下方において水平に折曲した戻り止め部がそれぞれ連設された植物誘引紐吊りクリップを固定するためのクリップ固定部が、前記縦軸部の上部に、前記誘引線吊り下げ部とともに、または前記誘引線吊り下げ部に代えて設けられていることを特徴とする請求項１から３のいずれかの項に記載の誘引紐吊り具。
【発明の詳細な説明】
【技術分野】
【０００１】
本発明は、トマト、キュウリ、ナス、メロン、花類、果樹等、植物の茎、苗、蔓、幹等（以下、単に「茎」と総称することがある。）が成長する際に、茎等が自重で地面に垂れ下がり、害虫や病気等の被害を受けないように、誘引用紐で吊り上げるための紐を取り付ける誘引紐吊り具に関する。
【背景技術】
【０００２】
トマト、キュウリ、メロン、ナス、花類、果樹等の植物の茎や苗、蔓、幹は、成長するにつれ、上に伸びていこうとするが、支えがないと、その自重で垂れ下がり、地面に付いてそこから虫が付いて食べられたり、病気が発生したりする。そのため、図２２に示すように、畝３０の上部に針金線やプラスチック硬線（誘引線３１）を張り、植物を誘引するための誘引紐３２を誘引線３１に結び付け、吊り下げられた誘引紐３２を植物の茎３３に巻き付けて結んだり（図２２（ａ），（ｂ））、茎誘引用クリップ３４で茎３３と誘引紐３２を挟んだりして、茎３３が倒れないように吊り上げている（図２２（ｃ））。
【０００３】
しかし、誘引線３１は畝３０から２ｍほど上に張られているため、誘引紐３２を誘引線３１に結び付ける時は、両手を挙げて頭や顔を上方向に向けたままの作業になり、繰り返し長時間の作業は重労働である。手を挙げても誘引線３１に手が届かないときは踏み台に上がり、両手を使い、誘引紐３２を結んでいる生産者も多く、危険を伴う作業となっている。
【０００４】
生産者は通常、数千本から数万本の植物の茎を誘引するための誘引紐３２を誘引線３１に結び、吊り下げて誘引準備をしなければならない。数が多い場合は、パートタイマーやアルバイトを使って誘引紐３２を結ばせている生産者もあるが、誘引紐３２を結び慣れていないと、誤った結び方をしてしまい、茎３３に結び付けて重量が掛かったときに、誘引紐３２の結び目３２ａが誘引線３１からほどけて外れ、茎３３が倒れ、また折れたりすることがある。
【０００５】
誘引線への誘引紐の取り付けは、両手を挙げた状態で長時間の作業となるが、これを軽減するために、図２３に示すように、Ｓ字フック３５に誘引紐を結んで、誘引線３１に誘引紐を結んだＳ字フック３５を引っ掛けて図２４に示すように使用している生産者もいるが、Ｓ字フック３５の入れ口３５ａが幅広く開いているために、誘引作業中に誘引線が上下、左右に揺れて、誘引紐を結んでいるＳ字フック３５が落下することがある。また、Ｓ字フック３５を使用しても、誘引紐をＳ字フック３５に結ぶ必要があり（図２４の３２ａ）、誤った結び方をすると、茎に誘引紐３２を結び付けて重量が掛かったときに、誘引紐３２の結び目３２ａがＳ字フック３５からほどけて外れ、茎が倒れたり折れたりすることがある。
【０００６】
このような問題を解消するために、本願出願人は先に、特許文献１に記載された誘引紐吊り具を提案した。この誘引紐吊り具を、図２５〜図２８に示す。図２５はその従来の誘引紐吊り具を示すもので、（ａ）は正面図、（ｂ）は右側面図、（ｃ）は背面図、（ｄ）は左側面図である。図２６はその誘引紐吊り具に誘引紐を取り付ける方法の第１ステップを示すもので、（ａ）は側面図、（ｂ）は背面図である。図２７は誘引紐吊り具に誘引紐を取り付ける方法の第２ステップを示す斜視図である。図２８は、誘引紐を取り付けた従来の誘引紐吊り具を、誘引線に取り付けた状態を示す斜視図である。
【０００７】
これらの図に示されているように、誘引紐吊り具４１は、一本の針金を曲げて形成されており、縦軸部４２の上部が誘引線吊り下げ部４３であり、下部が誘引紐取付部４４である。誘引紐取付部４４は、ほぼ円形のループ４５が少なくとも１回半（本例では１回と３／４）、密着して形成されている。
【０００８】
誘引線吊り下げ部４３は、縦軸部４２の上部に、鋭角に折曲した角部を有するフック部４６と、このフック部４６の下方に伸びてさらに上方に折曲したヘアピン部４７と、このヘアピン部４７の先端を折曲させてフック部４６の角部の下部に位置させた直線状の戻り止め部４８とが連続して形成されている。
【０００９】
この誘引紐吊り具４１では、誘引紐３２を誘引紐取付部４４に、誘引紐３２をループ４５に引っ掛けて挟み込み、その上からさらに図２７に示すように誘引紐３２を巻き込んで誘引紐取付部４４のループ４５の下まで引き下げ、瘤を作り、巻きバネループ４５の挟む力で誘引紐３２を抑えるようになっている。
【００１０】
【特許文献１】実用新案登録第３１１６８７５号公報
【発明の開示】
【発明が解決しようとする課題】
【００１１】
ところが、前述の特許文献１に記載された誘引紐吊り具では、誘引紐取付部４４に太い誘引紐３２や誘引紐３２の巻き付け回数を多くして取り付けると、図２８に示すようにループ４５に巻きバネの押さえる力が強くかかる。そのため、長期間にわたって茎を誘引紐３２で誘引し、茎の重量が掛かった後に、誘引紐取付部４４のループ４５に取り付けてある誘引紐３２を指でずらして外すときに、硬く締まり込んでおり、多数の誘引紐を外すと指が痛くなり、作業性が悪い。誘引紐の材質によっては、長時間が経過すると紐が硬化し、締まり込んでループ４５からずらして外すことができなくなることがある。
【００１２】
また、この誘引紐吊り具４１の材質が、直径２ｍｍ前後の金属鋼線を加工し、メッキをしたものである場合、長期間誘引に使用すると、誘引紐取付部４４に錆が発生して表面が粗くなる。また、ループ４５に挟んで留まっている誘引紐３２にも錆が付着し、茎の重量が掛かり続けて紐が硬化した後、誘引紐取付部４４のループ４５から誘引紐３２を指でずらして外すことができないことがある。
【００１３】
本発明は、このような従来の問題点を解消し、誘引紐を誘引線に取り付ける際に、長時間両手を挙げて作業をする必要がなく、簡単に片手で取り付けることができ、また誘引紐を結ぶ作業に慣れていないパートタイマーやアルバイトでも確実に誘引紐が外れないように取り付けることができ、さらに、収穫後に、誘引紐が硬化していても誘引紐を簡単に撤収することができ、錆が生じることのない誘引紐吊り具を提供することを目的とする。
【課題を解決するための手段】
【００１４】
前記課題を解決するため、本発明の第１の構成は、弾性を有する耐候性のある合成樹脂で一体形成され、縦軸部の上部がフック状の誘引線吊り下げ部であり、前記縦軸部の下部が誘引紐取付部である誘引紐吊り具において、前記誘引紐取付部は、誘引紐の横巻付部と縦巻付部がそれぞれＶ字状に凹ませて形成されており、かつ前記横巻付部を構成する左右のＶ字状の凹部を結ぶ線に対し、前記縦巻付部を構成する上下のＶ字状の凹部の位置が同じ側に設けられ、前記誘引紐取付部に、巻き付けられた誘引紐の下部をほぼ横方向から通す誘引紐止め部が形成されていることを特徴とする。
【００１５】
本発明の第１の構成においては、誘引紐を誘引紐吊り具の下部の誘引紐取付部に取り付けるとき、まず、片手で誘引紐取付部近傍と誘引紐の端部を持ち、他方の手で、横巻付部の左右のＶ字状凹部に少なくとも１巻き、巻き付ける。次いで、縦巻付部の上下のＶ字状凹部に誘引紐を少なくとも１巻き、強く巻き付ける。このとき、横巻付部に横方向に巻かれている誘引紐は、縦巻付部に巻かれる誘引紐により縦方向に引っ張られた状態で重なることになり、ほどけにくくなる。最後に、誘引紐止め部に誘引紐を通すことにより、誘引紐は自然にほどけることがなく、巻かれた状態が保持される。
【００１６】
本発明の第２の構成は、第１の構成において、前記フック状の誘引線吊り下げ部の誘引線挿入口は、誘引線の径よりも狭く形成されていることを特徴とする。
【００１７】
この第２の構成においては、フック状の誘引線吊り下げ部の誘引線挿入口が、誘引線の径よりも狭く形成されていることにより、誘引線挿入口から線を挿入した後は、誘引作業中に誘引線が揺れても、誘引紐吊り具が誘引線から外れて落下するようなことはない。
【００１８】
本発明の第３の構成は、第１または第２の構成において、任意の箇所に、高所の誘引線に前記フック状の誘引線吊り下げ部を引っ掛けるための操作棒の先端が係合する係合部が形成されていることを特徴とする。
【００１９】
この第３の構成においては、誘引紐吊り具を引っ掛ける誘引線が、作業者の手が届く高さよりも高い位置に張られている場合に、所定の長さの操作棒の先端に、誘引紐を結んだ誘引紐吊り具を係合させ、操作棒と誘引紐を持って高所の誘引線に誘引線吊り下げ部を引っ掛けることにより、脚立や踏み台を用いることなく、簡単にかつ安全に作業を行うことができる。
【００２０】
本発明の第４の構成は、第１から第３の構成において、ヘアピン状の本体の上部に、一方には鋭角に折曲したフック部が、他方には前記フック部の角部よりも下方において水平に折曲した戻り止め部がそれぞれ連設された植物誘引紐吊りクリップを固定するためのクリップ固定部が、前記縦軸部の上部に、前記誘引線吊り下げ部とともに、または前記誘引線吊り下げ部に代えて設けられていることを特徴とする。
【００２１】
この第４の構成は、誘引紐で結ばれている茎の上部の位置を、植物の生長とともに、誘引線に沿って移動させたときに、誘引紐吊り具が誘引線に沿う一方向のみに移動でき、逆方向には戻らないように直物誘引紐吊りクリップを取り付けたものである。第１〜第３の構成の誘引紐吊り具では、誘引紐取付部に誘引紐の上部を巻き付けて固定し、フック状の誘引線吊り下げ部を誘引線に吊り下げ、誘引紐の下部を茎に結び付けて使用するが、植物の茎が生長するにつれて、誘引紐を結んでいる茎の位置を高くしないと、茎が弛んで地面に着き、そこから腐れたり菌がついたりして生長が阻害されてしまう。しかし、誘引紐を結ぶ茎の位置を茎の生長の都度結び変えるのは、農家にとって非常に負担が大きな労働となる。そこで、誘引紐を結んでいる茎の位置はそのままで、誘引紐吊り具の位置を誘引線に沿って移動させ、茎が地面に着かないように茎を一方向に引っ張るようにすれば作業は楽である。
【００２２】
この第４の構成では、誘引紐吊り具が誘引線に対して植物の生長方向にのみ移動でき、その逆の方向には戻らないように、植物誘引紐吊りクリップをクリップ固定部に取り付けるようにしたものである。この植物誘引紐吊りクリップは、本願出願人の創作になる意匠登録第１１４２７９７号公報に記載されたものを用いることができる。
【発明の効果】
【００２３】
本発明によれば、弾性を有する耐候性のある合成樹脂で一体形成され、縦軸部の上部がフック状の誘引線吊り下げ部であり、縦軸部の下部が誘引紐取付部である誘引紐吊り具において、誘引紐取付部は、誘引紐の横巻付部と縦巻付部がそれぞれＶ字状に凹ませて形成されており、かつ横巻付部を構成する左右のＶ字状の凹部を結ぶ線に対し、縦巻付部を構成する上下のＶ字状の凹部の位置が同じ側に設けられ、誘引紐取付部に、巻き付けられた誘引紐の下部をほぼ横方向から通す誘引紐止め部が形成されているので、誘引紐を誘引線に取り付ける際に、長時間両手を挙げて作業をする必要がなく、簡単に片手で取り付けることができ、また誘引紐を結ぶ作業に慣れていないパートタイマーやアルバイトでも確実に誘引紐が外れないように取り付けることができ、さらに、収穫後に、誘引紐が硬化していても誘引紐を簡単に撤収することができ、錆が生じることのない誘引紐吊り具が得られる。
【発明を実施するための最良の形態】
【００２４】
以下、本発明の実施の形態を、図１〜図２１を用いて説明する。
図１は本実施の形態に係る誘引紐吊り具を示す正面図、図２はその右側面図、図３はその底面図である。
【００２５】
これらの図において、本実施の形態の誘引紐吊り具１は、耐候性ポリプロピレン等の弾性を有する合成樹脂で一体形成され、縦軸部２の上部がフック４を有する誘引線吊り下げ部３であり、縦軸部２の下部が誘引紐取付部５である。誘引紐取付部５は、横巻付部を構成するＶ字状の第１横紐掛け部６および第２横紐掛け部７と、縦巻付部を構成するＶ字状の第１縦紐掛け部８および第２縦紐掛け部９とを有している。ここで、第１縦紐掛け部８と第２縦紐掛け部９は、横巻付部を構成する第１横紐掛け部６と第２横紐掛け部７を結ぶ直線に対し、下方に位置するように形成されている。また、縦軸部２下部には、巻き付けられる誘引紐の下部をほぼ横方向から通す紐跳ね上がり防止穴１０とリブ状の誘引紐止め部１１が形成されている。誘引紐取付部５の下部には、後述するパイプ状の操作棒の上端の穴に嵌合する係合軸１２が形成されている。さらに、縦軸部２の上部には、後述する植物誘引紐吊りクリップのヘアピン状下部折曲部を通すクリップ挿通孔１３と、同クリップのＶ状側部を係止する凹部１４とが形成されている。
【００２６】
フック４は、図１に示すように、縦軸部２との間に、後述する誘引線２１の径よりも狭い誘引線挿入口４ａが形成されており、誘引線２１を挿入するときはフック４の弾性で開き、フック４の中に誘引線２１が入った後は、復元力で誘引線挿入口４ａが元のように狭くなるので、誘引線２１が揺れたり、誘引紐吊り具１を移動させたりするときに自然に誘引紐吊り具１が誘引線２１から外れることはない。
【００２７】
以下、本実施の形態の誘引紐吊り具１の使用方法を、図４〜図１６を参照して説明する。
【００２８】
まず、図４に示すように、誘引紐吊り具１と誘引紐２０の端部を片方の手で持ち、誘引紐２０を第１横紐掛け部６を通るように巻き始め、図５に示すように第２横紐掛け部７を通り、第１縦紐掛け部８へ通し、図６に示すように第２縦紐掛け部９へ回し、さらに第１縦紐掛け部８へ巻き込んで図７に示すように誘引紐止め部１１の上部の隙間を通し、図８に示すように紐跳ね上がり防止穴１０に引っ掛けることにより、誘引紐２０の取り付けができる。誘引紐２０が取り付けられた誘引紐吊り具１を図９に示す。
【００２９】
ここで、第１縦紐掛け部８の位置が、第１横紐掛け部６と第２横紐掛け部７を結ぶ直線よりも下にあるので、最初に第１横紐掛け部６と第２横紐掛け部７に巻かれた誘引紐２０の中間部を、次に第１縦紐掛け部８と第２縦紐掛け部９に巻かれる誘引紐２０が、Ｖ字状に押し下げることになり、ほどけにくくなる。しかも、誘引紐２０を下方に引く力が作用すればするほど、その力は横方向に巻かれた誘引紐２０を強く引っ張ることになるので、使用中に自然に結束力が弱くなってほどけるようなことはない。
【００３０】
なお、作物の収穫後に誘引紐２０を誘引紐吊り具１から外すときは、誘引紐２０の下部を紐跳ね上がり防止穴１０から外に外し、巻いた方向とは逆方向にほどいていけば、途中で結束力がなくなるので、簡単に取り外すことができる。
【００３１】
植物の誘引に使用される誘引紐２０の種類としては、農家毎に、あるいは植物の種類によりまちまちであり、太い繊維紐から、滑りやすい細いＰＰ（ポリプロピレン）テープ紐、腰の強い紐などがある。本願発明の誘引紐吊り具は、これらの紐のほとんどに対応できる。特に、腰の強い紐は、縦紐掛け部に巻き付けても、手を放すと紐の弾力で直線の状態に戻ろうとする。そこで、巻き終わった紐を紐跳ね上がり防止穴１０に引っ掛けると、弾力で直線に戻ろうとする動作が抑制され、紐の端部を確実に止めることができる。
【００３２】
なお、誘引紐２０の巻き方として、少なくとも横方向に一巻き、縦方向に一巻きする例を示したが、それ以上の回数巻いても構わないので、横に巻いた後に縦に巻き、最後に紐跳ね上がり防止穴１０に通す、というルールさえ守れば、巻き方に馴れていない人が適当に巻いても、確実に誘引紐２０を巻き付けることができる。
【００３３】
このようにして誘引紐２０が巻き付けられた誘引紐吊り具１のフック４を、図１０に示すように誘引線２１に引っ掛けて下に引っ張ると、フック４の弾性で誘引線挿入口４ａ（図１参照）が開き、簡単に図１１に示すようにフック４の中に誘引線２１が収まった状態となる。そうすると、フック４の復元力で誘引線挿入口４ａが元のように狭くなるので、誘引線２１が揺れたり、誘引紐吊り具１を移動させたりするときに自然に誘引紐吊り具１が誘引線２１から外れることはない。
【００３４】
誘引線２１から誘引紐吊り具１を取り外すときは、図１２に示すように誘引線２１に対して斜めにひねると、フック４の先端が誘引線２１に当たり、そのまま押し上げるとフック４が開き、誘引線２１から軽い力で取り外すことができる。誘引紐吊り具１を縦方向のまま引き上げると、フック４の誘引線挿入口４ａの部分で誘引線２１が押し上げられ、誘引線２１に大きな張力が作用し、フック４が外れた後に誘引線２１が振動することになるが、誘引紐吊り具１を斜めにひねることで、誘引線２１に無理な力や振動を起こさせずにすむ。
【００３５】
誘引紐２０を取り付けるとき、一箇所に一本とは限らず、作物、果樹によっては１箇所に複数本の誘引紐を取り付けることがある。そのような場合、図１３に示すように、複数本の誘引紐２０を誘引紐吊り具１に上記と同様に巻き付けることにより、同時に取り付けることができる。
【００３６】
誘引線２１は、通常、作業者の手が届く高さ、例えば２ｍ位の高さに張られるが、作物や果樹によっては、３ｍ程度の、手の届く高さ以上の高さに張られることがある。このような場合は、脚立や踏み台に上がって誘引紐吊り具１を掛ける作業をすることになるが、畑は平坦ではなく、また地盤が軟らかいので、脚立や踏み台は不安定である。その上に乗ると、バランスを崩して転ぶ場合もある。また、脚立や踏み台を移動しながら誘引紐吊り具１を誘引線２１に掛ける作業は非能率的である。
【００３７】
そこで、図１４に示されているように、本実施の形態の誘引紐吊り具１に設けられている係合軸１２をパイプ状の操作棒２２の上部の穴に差し込む。次いで、図１５に示すように操作棒２２と誘引紐２０を同時に片手で持った状態で高所の誘引線２１まで誘引紐吊り具１を上げ、誘引線２１にフック４を引っ掛けて引き下げると、誘引紐２０は残ったままで操作棒２２を係合軸１２から分離することができる。操作棒２２の穴の内径と係合軸１２の外径の寸法にガタがあっても、誘引紐２０を下に引っ張った状態で操作棒２２を持てば、誘引紐吊り具１の係合軸１２の下部は操作棒２２の穴の内周に圧接してガタがなくなるので、誘引紐吊り具１はふらつくことなく操作棒２２の上部に保持され、誘引線２１に取り付けることができる。
【００３８】
本願出願人は、植物の生長に応じて誘引線における係止位置を移動させることのできる植物誘引紐吊りクリップを考案し、意匠登録第１１４２７９７号公報として登録された。それは、図１６の正面図および図１７の右側面図に示すように、ヘアピン状の本体２３ａの上部に、一方には鋭角に折曲したフック部２３ｂが、他方にはフック部２３ｂの角部よりも下方において水平に折曲した戻り止め部２３ｃがそれぞれ連設されている植物誘引紐吊りクリップ２３である。
【００３９】
この植物誘引紐吊りクリップ２３に誘引紐２０を結び付け、誘引線２１にフック部２３ｂを引っ掛けて引っ張ると、フック部２３ｂの上端角部内側と戻り止め部２３ｃの上部の間に誘引線２１が止まった状態となる。この状態で誘引紐２０を茎の成長方向と逆方向（使用状態を示す図１８におけるａ方向）に引っ張ろうとしても、戻り止め部２３ｃが誘引線２１の下部に引っ掛かって、植物誘引紐吊りクリップ２３はその位置で傾くだけで移動しない。茎が成長して成長方向（図１８におけるｂ方向）に植物誘引紐吊りクリップ２３を移動する際には、本体２３ａを誘引線２１に直角になるように曲げれば戻り止め部２３ｃの上部とフック部２３ｂの下部の間に隙間ができるため、植物誘引紐吊りクリップ２３を誘引線２１に対して茎の成長方向に移動することができる。植物誘引紐吊りクリップ２３を誘引線２１から外すときは、本体２３ａをねじ曲げることによりフック部２３ｂと戻り止め部２３ｃの隙間が大きくなって、その隙間を通過させて誘引線２１から外すことができる。
【００４０】
このような植物誘引紐吊りクリップ２３の機能を本実施の形態の誘引紐吊り具１に持たせるために、植物誘引紐吊りクリップ２３を誘引紐吊り具１に取り付ける。取り付け方法は、植物誘引紐吊りクリップ２３を寝せた状態で戻り止め部２３ｃの先端をクリップ挿通孔１３に差し込み、角部を通過させてヘアピン状本体２３ａのＶ字状角部までクリップ挿通孔１３に通ったところで、本体２３ａを起こしてその両側部を凹部１４に嵌め込めば、図１９に示すように、誘引紐吊り具１に植物誘引紐吊りクリップ２３が取り付けられた状態となり、誘引線２１に植物誘引紐吊りクリップ２３を取り付けることができる。これにより、植物の生長に応じて、誘引線２１に対して、一方向のみに誘引紐吊り具１を移動し、その位置で停止させることが可能となる。
【００４１】
この植物誘引紐吊りクリップ２３を誘引紐吊り具１に取り付けるのであれば、フック４は必ずしも設ける必要はない。
【００４２】
なお、上述した実施の形態では、係合軸１２を誘引紐取付部５の下部に設けたが、図２０に示すように誘引紐取付部５の後部に設けることができ、また、図２１に示すように、縦軸部２の上部に設けることもできる。
【００４３】
本実施の形態によれば、次の効果がある。
（１）従来の金属線を折り曲げて形成した誘引紐吊り具では、誘引紐を誘引紐吊り具に取り付ける際に、ケース内に収納された多数の誘引紐吊り具どうしが絡み合ってなかなか取り出せないことがあったが、本実施の形態では、フック４の先端が狭くなっているので、絡み合うことなく、スムーズにケースから取り出すことができる。
（２）細い誘引糸から、滑りやすく薄いＰＰテープ紐、太紐（麻紐）まで、素材や太さを選ばずに使用することができる。
（３）誘引紐を結ぶ作業に慣れていないパートやアルバイトでも、誘引紐吊り具に誘引紐を取り付けるとき、誘引紐の取り付け順序が多少違っても、確実に誘引紐を取り付けることができ、使用時に茎の重量が誘引紐に掛かっても、誘引紐がほどけて外れることはない。
（４）誘引紐を誘引線に取り付ける際、長時間両手や顔を上に挙げ続ける必要がなく、簡単に片手で取り付けることができる。
（５）誘引紐を取り付けた誘引紐吊り具を誘引線に取り付けた後、誘引作業中に誘引線が揺れても、Ｓ字フックのように落下することがない。
（６）長期にわたって茎、枝などを紐誘引中に、薬品の散布やビニルハウス内の結露によってさびることがなく、誘引紐に茎、枝等の重い荷重が長期間掛かり続けても、誘引紐吊り具に誘引紐が食い込まず、作物の収穫後、誘引紐を直物誘引紐吊り具から簡単に取り外すことができる。
（７）誘引紐吊り具をプラスチックにより低コストで製造でき、作物の生産者へ安価で提供することができ、また作業の省力化と安全をもたらすことができる。
（８）操作棒を用いることができるので、高い誘引線にも、確実に、容易に取り付けることができる。
【産業上の利用可能性】
【００４４】
本発明は、誘引紐を誘引線に取り付ける際に、長時間両手を挙げて作業をする必要がなく、簡単に片手で取り付けることができ、また誘引紐を結ぶ作業に慣れていないパートタイマーやアルバイトでも確実に誘引紐が外れないように取り付けることができ、さらに、収穫後に、誘引紐を簡単に撤収することのできる誘引紐吊り具として、トマト、キュウリ、ナス、メロン、花類、果樹等の栽培に用いることができる。
【図面の簡単な説明】
【００４５】
【図１】本発明の実施の形態に係る誘引紐吊り具を示す正面図である。
【図２】本発明の実施の形態に係る誘引紐吊り具を示す右側面図である。
【図３】本発明の実施の形態に係る誘引紐吊り具を示す底面図である。
【図４】本発明の実施の形態の誘引紐吊り具の使用方法を示す斜視図である。
【図５】本発明の実施の形態の誘引紐吊り具の使用方法を示す斜視図である。
【図６】本発明の実施の形態の誘引紐吊り具の使用方法を示す斜視図である。
【図７】本発明の実施の形態の誘引紐吊り具の使用方法を示す斜視図である。
【図８】本発明の実施の形態の誘引紐吊り具の使用方法を示す斜視図である。
【図９】本発明の実施の形態の誘引紐吊り具の使用方法を示す斜視図である。
【図１０】本発明の実施の形態の誘引紐吊り具の使用方法を示す斜視図である。
【図１１】本発明の実施の形態の誘引紐吊り具の使用方法を示す斜視図である。
【図１２】本発明の実施の形態の誘引紐吊り具の使用方法を示す斜視図である。
【図１３】本発明の実施の形態の誘引紐吊り具の使用方法を示す斜視図である。
【図１４】本発明の実施の形態の誘引紐吊り具の使用方法を示す斜視図である。
【図１５】本発明の実施の形態の誘引紐吊り具の使用方法を示す斜視図である。
【図１６】意匠登録第１１４２７９７号公報に記載された植物誘引紐吊りクリップを示す正面図である。
【図１７】意匠登録第１１４２７９７号公報に記載された植物誘引紐吊りクリップを示す右側面図である。
【図１８】意匠登録第１１４２７９７号公報に記載された植物誘引紐吊りクリップの機能を示す説明図である。
【図１９】本発明の実施の形態の誘引紐吊り具の使用方法を示す斜視図である。
【図２０】本発明の他の実施の形態の誘引紐吊り具を示す斜視図である。
【図２１】本発明のさらに他の実施の形態の誘引紐吊り具を示す斜視図である。
【図２２】誘引線に誘引紐を結び付ける従来の方法を示す説明図である。
【図２３】従来のＳ字フックを示す斜視図である。
【図２４】従来のＳ字フックの使用状態を示す斜視図である。
【図２５】従来の誘引紐吊り具を示すもので、（ａ）は正面図、（ｂ）は右側面図、（ｃ）は背面図、（ｄ）は左側面図である。
【図２６】従来の誘引紐吊り具に誘引紐を取り付ける方法の第１ステップを示すもので、（ａ）は側面図、（ｂ）は背面図である。
【図２７】従来の誘引紐吊り具に誘引紐を取り付ける方法の第２ステップを示す斜視図である。
【図２８】誘引紐を取り付けた従来の誘引紐吊り具を、誘引線に取り付けた状態を示す斜視図である。
【符号の説明】
【００４６】
１  誘引紐吊り具
２  縦軸部
３  誘引線吊り下げ部
４  フック
４ａ  誘引線挿入口
５  誘引紐取付部
６  第１横紐掛け部
７  第２横紐掛け部
８  第１縦紐掛け部
９  第２縦紐掛け部
１０  紐跳ね上がり防止穴
１１  誘引紐止め部
１２  係合軸
１３  クリップ挿通孔
１４  凹部
２０  誘引紐
２１  誘引線
２２  操作棒
２３  植物誘引紐吊りクリップ
２３ａ  本体
２３ｂ  フック部
２３ｃ  戻り止め部
【図１】
2007295843.tif 000003
【図２】
2007295843.tif 000004
【図３】
2007295843.tif 000005
【図４】
2007295843.tif 000006
【図５】
2007295843.tif 000007
【図６】
2007295843.tif 000008
【図７】
2007295843.tif 000009
【図８】
2007295843.tif 000010
【図９】
2007295843.tif 000011
【図１０】
2007295843.tif 000012
【図１１】
2007295843.tif 000013
【図１２】
2007295843.tif 000014
【図１３】
2007295843.tif 000015
【図１４】
2007295843.tif 000016
【図１５】
2007295843.tif 000017
【図１６】
2007295843.tif 000018
【図１７】
2007295843.tif 000019
【図１８】
2007295843.tif 000020
【図１９】
2007295843.tif 000021
【図２０】
2007295843.tif 000022
【図２１】
2007295843.tif 000023
【図２２】
2007295843.tif 000024
【図２３】
2007295843.tif 000025
【図２４】
2007295843.tif 000026
【図２５】
2007295843.tif 000027
【図２６】
2007295843.tif 000028
【図２７】
2007295843.tif 000029
【図２８】
2007295843.tif 000030